(57)【特許請求の範囲】
【請求項１】
ワーク外周のＸ軸方向に溝を研削する研削加工方法において、
前記Ｘ軸とこのＸ軸に対して直交するＹ軸とから構成されるＸ−Ｙ平面内においてＹ軸に対して傾斜させて砥石軸を配置すると共に前記砥石軸に砥石車を支承させ、
前記砥石台をＸ軸方向に往復移動させると共に、前記砥石車のＸ軸方向の移動方向前方側からワークへの研削点に回転方向ノズルにより研削液を供給して、
前記研削対象である溝の幅方向の中央領域を境にして、一方の片側壁面を対面している砥石車の一方の軸方向領域により研削加工すると共に、他方の片側壁面を対面している砥石車の他方の軸方向領域により研削加工することにより、前記ワーク外周に溝を研削することを特徴とする研削加工方法。
【請求項２】
前記砥石車のＸ軸方向の移動方向後方側からもワークへの研削点に回転方向ノズルにより研削液を供給して、前記ワーク外周に溝を研削することを特徴とする請求項１に記載の研削加工方法。
【請求項３】
前記砥石車の側面方向から砥石車の研削点に研削液を供給する側面ノズルを備え、前記砥石車のＸ軸方向移動の上流側に位置する側面ノズルからも砥石車の研削点に研削液を供給することを特徴とする請求項１または請求項２に記載の研削加工方法。
【請求項４】
前記砥石車の両側面方向から砥石車の研削点に研削液を供給する側面ノズルを備え、前記両側面ノズルからも砥石車の研削点に研削液を供給することを特徴とする請求項１または請求項２に記載の研削加工方法。
【請求項５】
ワーク外周のＸ軸方向に溝を研削する研削加工装置において、
前記Ｘ軸とこのＸ軸に対して直交するＹ軸とから構成されるＸ−Ｙ平面内においてＹ軸に対して傾斜させて砥石軸を配置すると共に前記砥石軸に砥石車を支承させ、
前記砥石車の両側面の研削点へ研削液を供給する一対のノズルを配置し、
前記砥石台をＸ軸方向に往復移動させると共に、前記砥石車のＸ軸方向の移動方向上流側のノズルからワークへの研削点に研削液を供給して、
前記研削対象である溝の幅方向の中央領域を境にして、一方の片側壁面を対面している砥石車の一方の軸方向領域により研削加工すると共に、他方の片側壁面を対面している砥石車の他方の軸方向領域により研削加工することにより、前記ワーク外周に溝を研削することを特徴とする研削加工装置。
【発明の詳細な説明】
【技術分野】
【０００１】
本発明は、ワーク外周に溝等を研削加工する研削加工方法および研削加工装置に関し、
特に、研削焼け防止に好適な研削加工方法および研削加工装置に関するものである。
【背景技術】
【０００２】
ワ−ク研削時、ワ−クと砥石車との研削点の摩擦を減少させ、かつ、切り屑の逃げをよくする目的と、切り屑が砥石車の砥粒切刃へ溶着するのを防ぐ冷却を行うために、ワ−クと砥石車の研削点に研削液（研削油剤）が供給される。研削液は、円筒研削盤のときは研削点に向けて自由落下させ、平面研削盤のときは研削点に研削液が届くように１５〜３０度の角度で研削液をノズルより供給される。しかしながら、回転している砥石車はその外周研削面にある空気をつれ巻き込み、回転している砥石車がワ−クに近づくにつれてつれ廻しされた空気の圧力が研削開始点近傍に発生し、研削液が研削点から遠ざかり、研削点には十分な量の研削液が供給されない現象が発生する。
【０００３】
上記空気の連れ廻りを防止するため、回転する円板状砥石車の研削面に研削液を供給し、該砥石車の研削面をワ−クに当ててワ−ク表面を研削する円筒研削盤または平面研削盤において、砥石車の研削面に研削液を供給するノズルの近傍であって、砥石車のワ−クの研削点に対しノズルよりは遠い位置の砥石研削面近傍に減圧管を設けた研削盤が提案されている（特許文献１参照）。
【０００４】
前記研削液を供給するノズルは、砥石車両側の前方の一部を囲む砥石車両側面に平行に設けられた側板、砥石車研削面に対して０．５〜１５ｍｍのクリアランスを有して設けられた底板、外板および該外板よりは内側で砥石車の外周面よりは外側に設けられた内板とから形成され、前記底板は砥石車の軸心の中心点とワ−クの軸心とを結ぶ直線と砥石車の軸心の中心点と底板を結ぶ線とが３０〜６０度の傾斜を有するよう構成されている。
【特許文献１】特開２０００−２９６４６６号公報
【発明の開示】
【発明が解決しようとする課題】
【０００５】
しかしながら、上記従来例においても、限られた板厚を備えるワークの外周面に板厚方向に沿って任意の形状の溝等を形成する目的で、板厚方向と直交する砥石軸に砥石車を保持させて板厚方向に平面研削加工もしくは溝研削加工を行なう場合に、クーラントが供給される側（砥石の回転方向上流側）のワークの縁から離れた部位では、ワーク外周面と砥石車との間に研削液が研削点に向かって流れ込むくさび状の空間が形成でき、研削点に十分な研削液を供給でき、その冷却能力を発揮させて研削焼けが発生しない。しかしながら、研削点がクーラントが供給される側（砥石車の回転方向上流側）のワークの縁近傍にある場合には、研削点直前（砥石回転方向上流側）の砥石車外周面はワークの側面より外側に露出し、砥石車とワークの間に研削液が入り込む隙間が無くなるため、供給された研削液の大部分はワークの側面に突き当たり、砥石車外周面から剥離されてワークの側面に沿って流出し、当該研削点での研削液による冷却不足を生じ、研削焼けを発生する課題があった。
【０００６】
そこで本発明は、上記問題点に鑑みてなされたもので、研削焼けの防止に好適な研削加工方法および研削加工装置を提供することを目的とする。
【課題を解決するための手段】
【０００７】
本発明は、ワーク外周のＸ軸方向に溝を研削する研削加工方法および研削加工装置であり、Ｘ軸とこのＸ軸に対して直交するＹ軸とから構成されるＸ−Ｙ平面内においてＹ軸に対して傾斜させて砥石軸を配置すると共に砥石軸に砥石車を支承させ、砥石台をＸ軸方向に往復移動させると共に、砥石車のＸ軸方向の移動方向上流側からワークへの研削点に回転方向ノズルにより研削液を供給して、研削対象である溝の幅方向の中央領域を境にして、一方の片側壁面を対面している砥石車の一方の軸方向領域により研削加工すると共に、他方の片側壁面を対面している砥石車の他方の軸方向領域により研削加工することにより、ワーク外周に溝を研削するようにした。
【発明の効果】
【０００８】
したがって、本発明では、ワークのＸ軸とこのＸ軸に対して直交するＹ軸とから構成されるＸ−Ｙ平面内においてＹ軸に対して傾斜させて砥石軸を配置すると共に砥石軸に砥石車を支承させ、砥石台をＸ軸方向に往復移動させると共に、砥石車のＸ軸方向の移動方向上流側からワークへの研削点に回転方向ノズルにより研削液を供給して、研削対象である溝の幅方向の中央領域を境にして、一方の片側壁面を対面している砥石車の一方の軸方向領域により研削加工すると共に、他方の片側壁面を対面している砥石車の他方の軸方向領域により研削加工することにより、ワーク外周に溝を研削するため、砥石車の移動方向前方にクーラントの溜まりが形成でき、研削中のワークの冷却能力を向上でき、研削焼けを防止することができる。
【発明を実施するための最良の形態】
【０００９】
以下、本発明の研削加工方法および研削加工装置の一実施形態を示す図１〜図５に基づいて説明する。図１は本発明を適用した研削加工装置を示す概略構成図である。
【００１０】
図１において、研削加工装置は、ワークＷの外周面に板厚方向（ワーク軸Ｗ１）に沿って任意形状の溝Ｗ２を形成するよう、砥石台１をワークＷの板厚方向（ワーク軸Ｗ１）に対して平行に移動させるＮＣ−Ｘ軸と、砥石台１をワークＷの板厚方向（ワーク軸Ｗ１）に対して直交する方向に移動させるＮＣ−Ｙ軸と、砥石台１をＮＣ−Ｘ−Ｙ平面に対して直交する方向に移動させるＮＣ−Ｚ軸とを備えるＸ−Ｙの２軸またはＸ−Ｙ−Ｚの３軸ＮＣ制御機構１０を備え、ＮＣプログラムによる創成研削ができるようにすることで、任意のなだらかなＲ形状断面を有する溝研削加工にも対応できるように構成されている。
【００１１】
前記砥石台１は、Ｘ−Ｙ平面内で砥石軸２をＮＣ−Ｙ軸に対して所定角度だけ傾斜させて回転駆動可能に支承して備え、傾斜した砥石軸２に砥石車３を回転駆動可能に固定して備える。砥石軸２とワークＷの板厚方向（ワーク軸Ｗ１）とは直交せず、砥石軸２に固定された砥石車３はその中心面とワークＷの板厚方向（ワーク軸Ｗ１）とは前記所定角度をもって交差するよう構成としている。このため、砥石車３は、ワークＷの板厚方向（ワーク軸Ｗ１）からは、図２に示すように、ＮＣ−Ｙ軸方向で短軸となり、ＮＣ−Ｚ軸方向に長径となる楕円形状となっており、その長径の先端側（研削部４）でワークＷの外周面に対して溝等の研削加工を実施するように構成されている。この時の砥石断面形状は、ワークＷに形成させたい溝形状に対して砥石軸２が傾いた分の形状補正を行なったものとなる。
【００１２】
また、砥石台１には、傾斜した砥石車３の回転方向前方の側面から砥石車３のワークＷへの研削点にクーラントを矢印Ｌ１,Ｌ２に示すように供給する一対の前方ノズル５Ａ，５Ｂ（回転方向ノズル）と、砥石車３の側方からワークＷの研削点に向かってクーラントを矢印Ｌ３，Ｌ４に示すように供給する一対の側方ノズル６Ａ，６Ｂと、を備える。
【００１３】
ＮＣ制御装置１０には、砥石台１をＹ軸方向に移動させて砥石車３のＺ軸方向下端の研削部４の位置をワーク軸Ｗ１の中心に位置させ、砥石台１をＸ軸方向に移動させてワークＷ上に移動させる位置決めプログラムと、砥石車３を回転させた状態で、そのＺ軸方向下端の研削部４をワークＷ上でＸ軸方向に往復移動するよう（Ｙ軸方向にトラバースさせて溝Ｗ２を創成研削する場合もある）砥石台１を移動させつつＺ軸方向に粗研削送りして、ワークＷ外周面に溝Ｗ２を粗研削する粗研削プログラムと、粗研削終了後に同様にＸ軸方向に往復移動するよう（Ｙ軸方向にトラバースさせて溝Ｗ２を創成研削する場合もある）砥石台１を移動させつつＺ軸方向に仕上げ研削送りして、ワークＷ外周面に溝Ｗ２を仕上げ研削する仕上げ研削プログラムと、仕上げ研削終了後に砥石台１をＸ軸方向に移動させて砥石車３をワークＷ上から待避させる待避プログラムと、が記憶されている。
【００１４】
次に、上記実施形態の作動について説明する。先ず、ワークＷを図示しないチャックにより位相決めを行って把持させ、起動釦を押すと、ＮＣ制御装置１０は前記位置決めプログラムを実行する。砥石台１はＹ軸方向に移動されて砥石車３のＺ軸方向下端の研削部４の位置がワーク軸Ｗ１に位置され、次いで、砥石台１はＸ軸方向に移動されてワークＷ上に移動される。
【００１５】
次いで、粗研削プログラムが実行され、砥石車３が回転されると共にそのＺ軸方向下端の研削部４がワークＷ上でＸ軸方向に往復移動するよう（Ｙ軸方向にトラバース研削する場合もある）砥石台１を移動させ、同時に砥石台１をＺ軸方向に粗研削送りして、ワークＷ外周面に溝Ｗ２を粗研削する。また、一対の前方ノズル５Ａ，５Ｂおよび一対の側方ノズル６Ａ，６ＢのうちのＸ軸方向の移動方向前方にあるノズルよりクーラントが砥石車３の研削部４に向かって供給される。
【００１６】
この粗研削において、ワークＷの外周面に形成される研削部４は、砥石車３がワークＷの（ワーク軸Ｗ１）に対して傾斜された状態で接触するため、図２に示すように、ＮＣ−Ｙ軸方向で短軸となり、ＮＣ−Ｚ軸方向に長径となる楕円形状となっており、その長径の先端側が研削部４を構成し、ワークＷの外周面に対して溝研削加工が実施される。この研削部４はワークＷに形成される研削溝Ｗ２に対して、図１に示すように、傾斜された四角形状の領域として形成される。砥石車３は、矢印に示すように、前記した傾斜した研削部４の一端から他端に向かって砥石車３の表面を接触させて粗研削が実施される。また、砥石台１をＹ軸方向にトラバースさせて溝Ｗ２を創成研削することもできる。
【００１７】
図３（Ａ）および（Ｂ）は、研削点を拡大して示す平面図および研削点に沿った断面図である。図（Ａ）に示すように、砥石車３は研削溝Ｗ２に対して傾斜しているため、研削溝Ｗ２の溝幅方向の概略中央を境にして、一方の片側壁面Ｃは前記所定角度で対面している砥石車３の一方の縁領域Ｄにより主に研削加工され、他方の片側壁面Ｅは前記所定角度で対面している砥石車３の他方の縁領域Ｆにより主に研削加工される。前記砥石車３の研削溝Ｗ２の概略中央では研削溝Ｗ２に接触し、一方の縁領域Ｄに連なる縁領域（隙間Ｇ部分）および他方の縁領域Ｆに連なる縁領域（隙間Ｈ部分）は、それぞれ、中央位置から離れるに連れて研削溝Ｗ２の表面から徐々に離れる隙間Ｇ，Ｈが形成される。また、研削溝Ｗ２に対して砥石車３が傾斜しているため、砥石車３の幅方向の中心面での砥石車３と研削溝Ｗ２とを断面すると、図（Ｂ）に示すように、研削溝Ｗ２の概略中央領域Ｊでは砥石車３の表面に接触し、中央領域から離れるに連れて研削溝Ｗ２の壁面と砥石車３の表面とが徐々に離れる楔状の隙間Ｇ，Ｈが形成される。
【００１８】
結果として、研削溝Ｗ２と砥石車３とは、領域Ｄと領域Ｆと中央領域Ｊとの三箇所の研削点が存在することとなる。また、砥石車３の外周面と研削溝Ｗ２との間には、隙間Ｇ部分から背面の領域Ｆの手前に向かい且つ中央領域Ｊの手前に向かう楔状の隙間を備えると共に、隙間Ｈ部分から背面の領域Ｄの後方に向かい且つ中央領域Ｊの後方に向かう楔状の隙間を備えることとなる。
【００１９】
ここで、図３中左方向への移動中においては、前記砥石車３のＸ軸方向の移動方向前方にある左側前方ノズル５Ａより供給したクーラントは、研削溝Ｗ２の表面に案内されて研削点である領域ＤおよびそのＸ軸移動方向の前方に供給されて、研削溝Ｗ２内にクーラント溜まりを形成し、領域Ｄにおける砥石車３と研削溝Ｗ２とを冷却する。前記砥石車３の移動方向側方に配置した左側側方ノズル６Ａより供給したクーラントは、前記領域ＤのＸ軸移動方向の前方にクーラントの溜まりを大きく形成して、左側前方ノズル５Ａより供給したクーラントと相まって領域Ｄへの入り込みをより促進させる。
【００２０】
また、Ｘ軸方向の移動方向前方に形成されたクーラント溜まりのクーラントは、研削溝Ｗ２と隙間をもつ隙間Ｇを通過して砥石車３の外周面と研削溝Ｗ２との間の楔状隙間（研削溝Ｗ２の中央領域Ｊおよび他方の領域ＦのＸ軸方向前方である）にも供給され、砥石車３のＸ軸方向移動および砥石車３の回転による引き込みにより、研削溝Ｗ２の中央領域Ｊにおける研削点、および、砥石車３の他方の縁領域Ｆと研削溝Ｗ２とで構成する研削点にも、供給されて中央領域Ｊおよび領域Ｆにおける砥石車３と研削溝Ｗ２とを冷却する。
【００２１】
そして、前記砥石車３のＸ軸方向の移動方向後方にある右側前方ノズル５Ｂおよび右側側方ノズル６Ｂからもクーラントを供給すると、領域Ｆの後方の研削溝Ｗ２にもクーラント溜まりを形成でき、他方の研削点である領域Ｆを背面からも冷却することができる。
【００２２】
また、図３中右方向への移動中においては、前記砥石車３のＸ軸方向の移動方向前方にある右側前方ノズル５Ｂより供給したクーラントは、研削溝Ｗ２の表面に案内されて研削点である領域ＦおよびそのＸ軸移動方向の前方に供給されて領域Ｆにおける砥石車３と研削溝Ｗ２とを冷却する。前記砥石車３の移動方向側方に配置した右側側方ノズル６Ｂより供給したクーラントは、前記領域ＦのＸ軸移動方向の前方にクーラントの溜まりを形成して、右側前方ノズル５Ｂより供給したクーラントと相まって領域Ｆへの入り込みをより促進させる。
【００２３】
また、Ｘ軸方向の移動方向前方にある右側前方ノズル５Ｂより供給されＸ軸移動方向前方のクーラントの溜まりは、研削溝Ｗ２との隙間Ｈを通過して砥石車３の外周面と研削溝Ｗ２との間の楔状隙間（研削溝Ｗ２の中央領域Ｊおよび一方の領域ＤのＸ軸方向前方である）にも供給され、砥石車３のＸ軸方向移動により、研削溝Ｗ２の中央領域Ｊにおける研削点の背面側、および、砥石車３の一方の縁領域Ｄと研削溝Ｗ２とで構成する研削点の背面側にも、供給されて中央領域Ｊおよび領域Ｄにおける砥石車３と研削溝Ｗ２とを背面側から冷却する。
【００２４】
そして、前記砥石車３のＸ軸方向の移動方向後方にある左側前方ノズル５Ａおよび左側側方ノズル６Ａからもクーラントを供給すると、領域Ｄの後方の研削溝Ｗ２にもクーラント溜まりを形成でき、一方の研削点である領域Ｄも背面から冷却することができる。同時に、Ｘ軸方向の移動方向後方に形成されたクーラント溜まりのクーラントは、研削溝Ｗ２との隙間Ｇを通過して砥石車３の外周面と研削溝Ｗ２との間の楔状隙間（研削溝Ｗ２の中央領域Ｊおよび他方の領域ＦのＸ軸方向後方である）にも供給され、砥石車３の回転による引き込みにより、研削溝Ｗ２の中央領域Ｊにおける研削点、および、砥石車３の他方の縁領域Ｆと研削溝Ｗ２とで構成する研削点にも、供給されて中央領域Ｊおよび領域Ｆにおける砥石車３と研削溝Ｗ２とを冷却する。
【００２５】
従って、従来例のように、供給したクーラントがワークＷの側面に突き当たり砥石車の外周面から剥離されてワークの側面に沿って流出する事態が生ずることがなく、当該研削点でのクーラントによる冷却不足が解消され、研削焼けが発生することを防止することができる。
【００２６】
前記砥石車３の外周面の形状として、上記した実施例では、円筒面を備えるものについて説明したが、図４に示すように、円弧状の断面形状を備えるものであってもよい。このように、円弧状の断面形状を備える場合には、円弧状断面の中央部を含んでその一方側の領域Ｄにより研削溝Ｗ２の一方の片側壁面Ｃが研削加工され、円弧状断面の中央部を含んでその他方側の領域Ｆにより研削溝Ｗ２の他方の片側壁面Ｅが研削加工されることになる。この場合においては、砥石車３が円弧状の断面形状を備えるため、前記領域Ｄ，Ｆの研削点はその周辺領域において、研削溝Ｗ２との間に、研削点から離れるに連れて拡がる楔状の隙間を形成して備えるものとなる。
【００２７】
従って、図５中左方向への移動中においては、Ｘ軸方向への移動方向の前方ノズル５Ａより供給したクーラントは、研削溝Ｗ２の表面に案内されて研削点である領域ＤおよびそのＸ軸移動方向の前方に供給されて、研削溝Ｗ２内にクーラント溜まりを形成し、領域Ｄに至る楔状隙間に案内されて領域Ｄにおける砥石車３と研削溝Ｗ２とを冷却する。また、前記砥石車３の移動方向前方に配置した側方ノズル６Ａより供給したクーラントは、前記領域ＤのＸ軸移動方向の前方にクーラントの溜まりを大きく形成して、左側前方ノズル５Ａより供給したクーラントと相まって領域Ｄへの入り込みをより促進させる。
【００２８】
また、Ｘ軸方向の移動方向前方に形成されたクーラント溜まりのクーラントは、同様にして楔状の隙間を介して研削溝Ｗ２の他方の領域ＦのＸ軸方向前方にも供給され、砥石車３のＸ軸方向移動および砥石車３の回転による引き込みにより、砥石車３の他方の縁領域Ｆと研削溝Ｗ２とで構成する研削点にも供給されて、領域Ｆにおける砥石車３と研削溝Ｗ２とを冷却する。
【００２９】
そして、前記砥石車３のＸ軸方向の移動方向後方にある右側前方ノズル５Ｂおよび右側側方ノズル６Ｂからもクーラントを供給すると、領域Ｆの後方の研削溝Ｗ２にもクーラント溜まりを形成でき、他方の研削点である領域Ｆを背面からも冷却することができる。
【００３０】
また、図５中右方向への移動中においては、前記砥石車３のＸ軸方向の移動方向前方にある右側前方ノズル５Ｂより供給したクーラントは、研削溝Ｗ２の表面に案内されて研削点である領域ＦおよびそのＸ軸移動方向の前方に供給されて領域Ｆにおける砥石車３と研削溝Ｗ２とを冷却する。前記砥石車３の移動方向側方に配置した右側側方ノズル６Ｂより供給したクーラントは、前記領域ＦのＸ軸移動方向の前方にクーラントの溜まりを形成して、右側前方ノズル５Ｂより供給したクーラントと相まって領域Ｆへの入り込みをより促進させる。
【００３１】
また、Ｘ軸方向の移動方向前方にある右側前方ノズル５Ｂより供給されＸ軸移動方向前方のクーラントの溜まりは、研削溝Ｗ２との間に楔状の隙間をもって一方の領域ＤのＸ軸移動方向前方にも供給され、砥石車３のＸ軸方向移動により、砥石車３の一方の縁領域Ｄと研削溝Ｗ２とで構成する研削点の背面側にも、供給されて領域Ｄにおける砥石車３と研削溝Ｗ２とを側面側から冷却する。
【００３２】
そして、前記砥石車３のＸ軸方向の移動方向後方にある左側前方ノズル５Ａおよび左側側方ノズル６Ａからもクーラントを供給すると、領域Ｄの後方の研削溝Ｗ２にもクーラント溜まりを形成でき、一方の研削点である領域Ｄも背面から冷却することができる。同時に、Ｘ軸方向の移動方向後方に形成されたクーラント溜まりのクーラントは、砥石車３の外周面と研削溝Ｗ２との間の楔状隙間（他方の領域ＦのＸ軸方向後方である）にも供給され、砥石車３の回転による引き込みにより、砥石車３の他方の縁領域Ｆと研削溝Ｗ２とで構成する研削点にも、供給されて領域Ｆにおける砥石車３と研削溝Ｗ２とを冷却する。
【００３３】
従って、従来例のように、供給したクーラントがワークＷの側面に突き当たり砥石車３の外周面から剥離されてワークＷの側面に沿って流出する事態が生ずることがなく、当該研削点でのクーラントによる冷却不足が解消され、研削焼けが発生することを防止することができる。
【００３４】
前記砥石台１のＺ軸方向への予め設定した粗研削送りによる粗研削が終了すると、仕上げ研削プログラムが実行され、ノズル５Ａ，５Ｂ，６Ａ，６Ｂによるクーラントの供給が継続されるとともに、同様にＸ軸方向に往復移動するよう（Ｙ軸方向にトラバース研削する場合もある）砥石台１を移動させつつＺ軸方向に仕上げ研削送りして、ワークＷ外周面の研削溝Ｗ２を仕上げ研削する。この仕上げ研削においては、Ｚ軸方向への研削送りは研削溝Ｗ２を仕上げ研削するために微少送りされるため、軽研削であり、砥石車３と研削溝Ｗ２との間に研削焼けを発生することはない。
【００３５】
前記砥石台１のＺ軸方向への予め設定した仕上げ研削送りによる仕上げ研削が終了すると、待避プログラムにより砥石台１をＸ軸方向に移動させて砥石車３をワークＷ上から待避させ、ノズルからのクーラント供給も停止され、研削溝Ｗ２の研削加工が完了する。
【００３６】
なお、上記した実施形態では、ワーク外周をＸ軸方向に溝を形成するものについて説明したが、図示しないが、ワーク外周をＸ軸方向に研削するものであれば、その他の形状、例えば、平面研削加工であってもよい。
【００３７】
本実施形態においては、以下に記載する効果を奏することができる。
【００３８】
（ア）ワークＷの外周をＸ方向に沿って、例えば、溝Ｗ２を研削する研削加工方法および研削加工装置において、前記Ｘ軸とこのＸ軸に対して直交するＹ軸とから構成されるＸ−Ｙ平面内においてＹ軸に対して傾斜させて砥石軸２を配置すると共に前記砥石軸２に砥石車３を支承させ、前記砥石台１をＸ軸方向に往復移動させると共に、前記砥石車３のＸ軸方向の移動方向前方側からワークＷへの研削点に回転方向ノズル５Ａ，５Ｂにより研削液を供給して、前記ワークＷ外周を研削するようにした。このため、砥石車３の移動方向前方にクーラントの溜まりが形成でき、研削中のワークＷの冷却能力を向上でき、研削焼けを防止することができる。
【００３９】
（イ）砥石車３のＸ軸方向の移動方向後方側からもワークＷへの研削点に回転方向ノズル５Ｂ，５Ａにより研削液を供給して、前記ワークＷ外周に溝Ｗ２を研削することにより、背面側からも研削点を冷却することができ、研削中のワークＷの冷却能力を向上でき、研削焼けを防止することができる。
【００４０】
（ウ）砥石車３の側面方向から砥石車３の研削点に研削液を供給する側面ノズル６Ａ，６Ｂを設け、前記砥石車３のＸ軸方向移動の前方側に位置する側面ノズル６Ａ，６Ｂからも砥石車３の研削点に研削液を供給することにより、砥石車３の移動方向前方から研削点に流入するクーラントの流れを形成でき、より一層研削点の冷却能力を向上させることができる。また、砥石車３の移動方向前方の研削溝Ｗ２内にクーラントの溜まりを大きく形成でき、広い範囲の研削点にクーラントを行き渡らせて供給することができ、研削中のワークＷの冷却能力を更に向上でき、研削焼けを防止することができる。さらに、砥石車３の幅を薄くすることが可能になり、ダイヤモンド砥石やＣＢＮ砥石などの高価な砥石車３を使用する場合に、砥石車３の価格を低減することができる。
【００４１】
（エ）砥石車３の両側面方向から砥石車３の研削点に研削液を供給する側面ノズル６Ａ，６Ｂを設け、前記両側面ノズル６Ａ，６Ｂからも砥石車３の研削点に研削液を供給することにより、砥石車３の移動方向前方および移動方向後方から研削点に流入するクーラントの流れを形成でき、より一層研削点の冷却能力を向上させることができる。また、砥石車３の移動方向前方および移動方向後方の研削溝Ｗ２内にクーラントの溜まりを大きく形成でき、広い範囲の研削点にクーラントを行き渡らせて供給することができ、研削中のワークＷの冷却能力を更に向上でき、研削焼けを防止することができる。
【図面の簡単な説明】
【００４２】
【図１】本発明の一実施形態を示す研削加工装置の概略構成図。
【図２】砥石車のワークに対する姿勢状態を示す平面図（Ａ）および側面図（Ｂ）。
【図３】砥石車によるワークの研削状態を示す平面図（Ａ）および断面図（Ｂ）。
【図４】円弧状断面形状を備える砥石車による研削状態を示す正面図。
【図５】円弧状断面形状を備える砥石車による研削状態を示す平面図。
【符号の説明】
【００４３】
Ｗ  ワーク
Ｗ１  ワーク軸
Ｗ２  溝、研削溝
１  砥石台
２  砥石軸
３  砥石車
４  研削部
５Ａ，５Ｂ  前方ノズル、回転方向ノズル
６Ａ，６Ｂ  側方ノズル
【図１】
0005228539.tif 000002
【図２】
0005228539.tif 000003
【図３】
0005228539.tif 000004
【図４】
0005228539.tif 000005
【図５】
0005228539.tif 000006